(57)【特許請求の範囲】
【請求項１】
巻付けにより円筒形部分を有するびんまたは同様の品物にラベルを貼る装置であって、
前記装置が、その上に整列した品物（２）を少なくとも一つの水平に延びる回転可能なねじ（３）に供給する供給コンベヤ（１）を含み、前記ねじ（３）は該供給コンベヤ（１）の上方に配置されて、かつ、品物がねじ溝に嵌合しうるようにまた後続の品物が相互に所望の間隔で位置するように、該ねじ（３）は前記品物（２）に隣接して該品物の側方に位置されており、
さらに、ほぼ垂直な軸線の周りに回転可能な真空ドラム（６）が前記供給コンベヤ（１）の一方の側に設けられていて、品物（２）に貼られるラベル（８）を前記真空ドラム（６）上に位置させることができるようになっており、また、前記品物（２）に前記ラベルを貼る前及び前記ラベルを貼る間に該品物を回転させるためのコンベヤベルトが前記供給コンベヤ（１）の上方に離して設けられている、品物にラベルを貼る前記装置において、
前記品物の供給方向へ見たときに、前記ねじ（３）の下流側の端部は、前記真空ドラム（６）の軸線を通って延びかつ前記ねじの軸線に垂直な平面より所定の距離だけ上流側の位置にあり、
また、前記コンベヤベルトが、前記品物（２）を移動させかつ回転させるために前記供給コンベヤ（１）の前記一方の側及びそれと反対の側にそれぞれ設けられた第１及び第２のコンベヤベルト（４，９）を有しており、前記真空ドラム（６）の側の第１のコンベヤベルト（４）は前記真空ドラム（６）に組合わされていて、前記品物（２）の移動する直線方向（Ｖ）に延びかつその反対方向に移動するようになっていることを特徴とする、巻付けにより円筒形部分を有するびんまたは同様の品物にラベルを貼る装置。
【請求項２】
前記所定の距離は少なくとも品物の直径の半分に等しいことを特徴とする請求項１に記載の巻付けにより円筒形部分を有するびんまたは同様の品物にラベルを貼る装置。
【請求項３】
前記第２のコンベヤベルト（９）が、二つの連続する部分（９，１４）から構成され、前記品物（２）の移動する直線方向（Ｖ）へ見て、前記真空ドラム（６）の反対側に位置する第２のコンベヤベルトの部分（９）の上流側で、前記ねじ（３）の端部（１３）から下流側の位置にありかつ前記第２コンベヤベルトの該部分（９）に連結された第２部分（１４）が取付けられたことを特徴とする請求項２に記載の巻付けにより円筒形部分を有するびんまたは同様の品物にラベルを貼る装置。
【請求項４】
前記ねじ（３）が前記供給コンベヤ（１）に対し前記真空ドラム（６）と同じ側に位置し、該真空ドラム（６）に組合わされた前記第１のコンベヤベルト（４）の前方すなわち前記品物の移動方向から見て上流側に輸送コンベヤベルト（１７）が取付けられ、前記ねじ（３）の端部（１３）が該輸送コンベヤベルト（１７）の両端の間に位置されることを特徴とする請求項２に記載の巻付けにより円筒形部分を有するびんまたは同様の品物にラベルを貼る装置。
【請求項５】
品物（２）が前記真空ドラム（６）上に位置し品物に貼られるラベル（８）に品物（２）が接触するとき、この品物（２）の周速（Ｙ）が前記真空ドラム（６）の周速に等しいように、前記第１及び第２のコンベヤベルト（４，９）の速度が選択されることを特徴とする請求項１から４のいずれか一項に記載の巻付けにより円筒形部分を有するびんまたは同様の品物にラベルを貼る装置。
【発明の詳細な説明】
【０００１】
【発明の属する技術分野】
本発明は、巻付けにより円筒形部分を有するびんまたは同様の品物にラベルを貼る装置であって、前記装置が、その上に整列した品物を少なくとも一つの水平に延びる回転可能なねじに供給する供給コンベヤを含み、前記ねじは該供給コンベヤの上方に配置されて、かつ、品物がねじ溝に嵌合するようにまた後続の品物が相互に所望の間隔で位置するように、該ねじは品物に隣接して品物の側方に位置されており、さらにほぼ垂直な軸線の周りに回転可能な真空ドラムが前記供給コンベヤの一方の側に設けられていて、品物に貼られるラベルを前記真空ドラム上に設置することができるようになっており、また、その品物にラベルを貼る前及びラベルを貼る間に品物を回転させるためのコンベヤベルトが供給コンベヤの上方に離して設けられている、巻付けにより円筒形部分を有するびんまたは同様の品物にラベルを貼る装置に関するものである。
【０００２】
【従来の技術】
かかる装置は米国特許第４９３１１２２号明細書により公知である。この公知の装置によれば、ねじが真空ドラムに沿ってかつその両側に延び、そのねじ溝内に品物が嵌合する。この場合、品物を回転させるコンベヤベルトも備えている。このコンベヤベルトは品物に対し真空ドラムと同じ側に、かつねじが位置する側と反対側に位置する。
しかして、コンベヤベルトは品物が回転せしめられるときそれらをねじに押付ける。そのため、品物とねじとの間に摩擦が発生し、その結果品物の回転速度は僅かに変化する。このことは品物上へのラベルの貼付けを不確実にする。
【０００３】
【発明が解決しようとする課題】
真空ドラムによって供給されるラベルおよび品物が同じ方向に移動するため、品物の回転はラベルから抵抗をうける。このラベルは、品物の上に緊密に貼付けられるため、つねに小さい張力をうけていなければならない。
【０００４】
【課題を解決するための手段】
本発明の目的はこれらの難点を解消しようとするもので、そのため、本発明による装置は、品物の供給方向へ見て、ねじの下流側の端部は、真空ドラムの軸線を通って延びかつねじの軸線に垂直な平面より所定の距離だけ上流側の位置にあり、またコンベヤベルトが、品物を移動させかつ回転させるため供給コンベヤの一方の側及びそれと反対の側にそれぞれ設けられた第１及び第２のコンベヤベルトを有しており、その真空ドラム側に設けられた第１のコンベヤベルトは真空ドラムに組合わされていて、品物の移動する直線方向に延びかつその反対方向に移動する。
このため、品物は、その上へのラベルの巻付けの直前に、品物の両側のコンベヤベルトによって回転せしめられる。したがって、ラベルを品物に巻付ける際、品物の回転速度はまったく同一になる。
さらに、本発明による装置によれば、品物の周速はラベルが輸送される速度に等しいが、方向が反対である。このことは品物および真空ドラム上のラベルが公知の装置より相対的に一層よく巻返されることを意味している。
なお前記ねじの平面との所定の距離は少なくとも品物の直径の半分に等しくてもよい。
【０００５】
とくに、真空ドラムの反対側の第２のコンベヤベルトは二つの連続部分から成り、品物の移動の直線方向に見て、真空ドラムの反対側に位置する部分の前方すなわち上流側に、ねじの端部後方すなわち下流側に終わりかつ真空ドラムの反対側に位置するコンベヤベルトに連結された、第２部分が取付けられるようにすることもできる。
ここに、真空ドラムの反対側に位置する第２のコンベヤベルトの該部分は、真空ドラムおよびそれに組合わされた第１のコンベヤベルトとともに品物に適当な回転速度を与え、一方その前方すなわち上流側の第２部分のコンベヤベルトは品物を回転させる。しかして、第２部分のコンベヤベルトの移動速度は、たとえば真空ドラムの反対側の後続のベルトの速度より小さくすることができる。
本発明による装置の実施例において、ねじの端部は真空ドラムに組合わされた第１のコンベヤベルトの反対側に位置することができる。
しかしながら、ねじは供給コンベヤベルトに対し真空ドラムと同じ側に位置することもでき、また真空ドラムに組合わされた第１のコンベヤベルトの前方に輸送コンベヤが取付けられ、ねじの端部を輸送コンベヤベルトの両端の間に設けることもできる。
【０００６】
さらに、コンベヤベルトが真空ドラムに組合わされ、品物を回転させかつ移動させるコンベヤベルトが供給コンベヤの他の側に位置する装置が開示された、米国特許第５０８２５２０号明細書を参照することができる。前記コンベヤベルトには星形車が先行し、該星形車は品物を所望の相対的間隔で輸送するように作用する。
星形車を使用することの難点は、それに嵌合する品物の直線速度が、品物が星形車に接触している限り連続的に変化することである。品物がそれに連結されたベルトに接触する速度は、したがって、正確には決定されない。さらに、このベルトは、品物を回転させることができるように、星形車から釈放される品物よりはるかに大きい速度をもたなければならない。品物がある距離を動いてベルトに達した後、品物は真空ドラムに組合わされたコンベヤベルトに接触する。このことにより、品物の速度はふたたび変化する。しかして、品物の速度は星形車に連結するコンベヤベルトの長さの方向に数回変化する。このことは摩耗、振動およびいちじるしい騒音の発生をもたらす。
【０００７】
【発明の実施の態様】
以下、本発明を図面に示す実施例に基づいて説明する。
本発明による図１および図２に示す装置は、矢印Ｖによって示した方向に動かされる品物２を供給する供給コンベヤ１を有する。多くの場合品物はびんであるため、今後、簡単のためびんについて説明する。
一般に、びん２は向合って直立する。びんを適当な間隔に離すため、二つの重ねられたねじ３が使用され、それらは図示しない装置によって支持されかつ同期的に駆動される。びんは両方のねじのねじ溝に嵌合し、びんはねじの回転によってさらに矢印方向Ｖに調節された速度で動かされる。
ねじ３の反対側には、二つの重ねられたコンベヤベルト４が設けられ、それらは案内ローラ５を横切ってまた真空ドラム６を横切って走行する。真空ドラム６は駆動され、ドラム内に発生した真空はラベル８をドラムの有孔壁７上で同行させ、該ラベルはびん２に貼付けられる。
【０００８】
コンベヤベルト４の反対側でかつねじ３の間には、ローラ１０および１１を横切ってコンベヤベルト９が走行し、ローラの一方はびん２に近いベルト９の部分が矢印Ｘの方向に動かされるように駆動される。ローラ１２はベルト９を緊張するように作用する。ローラ１０はねじ３の端部１３の前方または後方に設置される。
びん２はベルト４および９によって回転せしめられる。回転速度は、びん２の周速Ｙが真空ドラム６の周速度に等しいものとすることができ、前記周速は同様にＹで示されている。このため、先端がびん２に接触するとき、ラベル８はびんと同じ速度をもつ。それゆえラベルはびんに対してまったくずれることがない。
【０００９】
多くの場合、ラベルに二つの小さい垂直接着剤層が、すなわち一つはラベルの先端にまた一つは後端に、塗布される。しかしながら、ラベルとびんとの間にいくらかの接着剤が存在するとき、これらの接着剤の層を塗布することは、上記のように、ラベルおよびびんはそれらが互いに接触するとき同じ速度をもつことのために、廃止することができる。このようにしてラベルを貼る利点は、びんを再使用しなければならないとき容易に除去しうることである。
二本のねじ３の代わりに一本のねじしか使用しないこともできることは明らかであり、その場合は、二本のベルト９が使用される。これらはすべてびんの大きさによるものであり、その理由は、びんが輸送中十分に安定して支持されなければならないからである。
【００１０】
図３に示す実施例は図１および図２に示す実施例にほぼ対応し、対応する部分はおなじ参照符号によって示されている。この実施例において、ねじ３の端部１３は真空ドラム６から一層遠くに離れ、第２コンベヤベルト１４がこの端部１３の両側に延長し、かつローラ１５および１６を横切って走行している。ベルト１４は矢印Ｚの方向に移動する。ローラ１６の回転軸線は、ベルト９が横切って走行する、ローラ１０の回転軸線と一致し、びんを支持するのに何等の障害もない。
【００１１】
図４に示す実施例において、対応する部分は図１から図３と同じ参照符号で示されている。この実施例において、ねじ３は真空ドラム６が位置する供給コンベヤ１の同じ側にあり、ねじ３の端部１３はコンベヤベルト４の始点前方に位置している。これに対応して、ローラ１８および１９を横切って走行する輸送コンベヤ１７が設けられている。ローラ１９の回転軸線は、コンベヤベルト４のローラ５の回転軸線に一致し、ベルト１７は矢印Ｐの方向に移動する。
以上、本発明による装置の可能ないくつかの実施例のみを図示しかつ説明したが、多くの変更を本発明の発明的構想を超えることなく実施することができるものである。
【００１２】
【発明の効果】
本発明は、真空ドラムを供給コンベヤベルト上の品物と同じ方向に回転させることにより、従来のように、真空ドラムによって供給されるラベルおよび品物が同じ方向に移動することによって、品物の回転はラベルの反作用をうけることがなく、ラベルを品物に緊密に貼付けることができる。
【図面の簡単な説明】
【図１】本発明による装置の一実施例の線図的平面図。
【図２】図１の装置のある部分の線図的斜視図。
【図３】本発明による装置の別の実施例の線図的平面図。
【図４】本発明による装置のさらに別の実施例の線図的平面図。
【符号の説明】
１  供給コンベヤ
２  品物
３  ねじ
４  コンベヤベルト
５  案内ローラ
６  真空ドラム
７  有孔壁
８  ラベル
９  コンベヤベルト
１０  ローラ
１１  ローラ
１２  ローラ
１３  ねじの端部
１４  第２コンベヤベルト
１５  ローラ
１６  ローラ
１７  輸送コンベヤ
１８  ローラ
１９  ローラ
【図１】
0003668299.tif 000002
【図２】
0003668299.tif 000003
【図３】
0003668299.tif 000004
【図４】
0003668299.tif 000005